(57)【要約】【目的】  有料道路の料金収受システムに適用される料金収受用車載機に関し、アンテナとＩＣカードとを分離して設置とカードの利用を便利にする。【構成】  車載機本体２には内部にディジタル回路を有し、カード挿入口５、押釦スイッチ４、表示部７を有している。平面状のアンテナ部３はケーブル６で本体２と分離し、ＩＣカード１も独立し、カード挿入口５に挿入して用いられる。平面状のアンテナ部３は車載機本体２とは別の場所でマイクロ波の通信効率が良く、視野の妨げとならない場所に設置でき、ＩＣカード１も新しいカードと交換が容易となり、又、押釦スイッチ４を選択して必要な情報をＩＣカード１から表示部７へ表示できるのでデータの確認ができる。【選択図】            図１
2004288199.tif 000002
【特許請求の範囲】
【請求項１】
車両に搭載され、料金所の路上アンテナと無線通信を行い料金収受に伴う情報を処理するＣＰＵを備えた回路部を有する車載機本体と、同車載機本体内の前記回路部にケーブルで接続され、前記路上アンテナとの間でマイクロ波の送受信を行う前記車載機本体から分離した平面状のアンテナ部と、前記車載機本体に設けられ、前記回路部との接続端とからなるカード挿入口と、車種を示すＩＣ情報、料金所入口情報及び履歴情報からなる車両情報を保有すると共に前記カード挿入口に挿入されて前記回路部に接続し、前記平面状のアンテナ部からの料金収受情報を記録し、必要時に同情報及び前記車両情報を送出するＣＰＵを備えたＩＣカードとを具備する料金収受用車載機。
【発明の詳細な説明】
【技術分野】
【０００１】
本発明は有料道路の料金収受システムに適用される料金収受用車載機に関する。
【背景技術】
【０００２】
図３は車両に搭載される従来の代表的な車載機の構成を示すブロック図である。図において、２４は平面状本体であり、ＣＰＵ回路２５は車載機６０全体の制御を行うものである。２６は平面状のアンテナで、本体２４と一体に配置されている。２７は電池であり、車載機６０の電源である。２８はメモリであり、ここに車種別を表わすカード固有のＩＤ情報が記録されている。また、外部から与えられる入口情報等も記録される。
【０００３】
２９は送受信回路であり、路上アンテナからの電波、例えばマイクロ波を受信したり、車載機のＩＤ情報、入口情報等をマイクロ波に乗せて送信する回路である。送受信回路中、３０は切換回路であり、路上アンテナからのマイクロ波受信時にはアンテナ２６からの信号を検波回路３１に与え、アンテナに信号を送信する場合は変調回路３４の出力をアンテナ２６に与える回路である。検波回路３１は路上アンテナからのマイクロ波を検波するものである。
【０００４】
３２は復調回路であり、検波回路３１からの信号を復調して送信要求信号、入口情報信号等をＣＰＵ回路２５に与えるものである。３３はμ波検出回路であり、路上アンテナからのマイクロ波を検出したときに車載機６０を動作状態にする。変調回路３４はＣＰＵ回路２５がメモリ２８から読出したＩＤ情報や入口情報で信号を変調し、切換回路３０に与えるものである。
【０００５】
即ち、車載機６０では、路上アンテナからのマイクロ波を検出すると動作状態になり、送信要求信号を受信したらメモリ２８からＩＤ情報や入口情報等を読出し、マイクロ波を変調して路上アンテナに対して送信する。また、入口情報等を受信したらメモリ２８に書込む。
【発明の開示】
【発明が解決しようとする課題】
【０００６】
このような従来の車載機は本体２４内にアンテナ２６、メモリ２８、その他のＣＰＵ２５、等の変調、復調、検波、等のデジタル回路が一体的に組込まれ、１ピース型となっている。このような車載機は車両のフロントガラス上部に設置され、アンテナ２６とその他の回路が一体となっているため設置場所によっては路上アンテナとの通信効率が悪くなる場合がある。
【０００７】
又、このような一体型の車載機ではメモリ２８が固定されているため料金収受に伴う履歴を記録したりして記録量が増加し、又残額がなくなったりするとその都度車載機全体を取替える必要がある。又、異なる複数の有料道路システムで使用する場合でも、データ、等の変更が必要でありそのままでは使用できない。
【０００８】
本発明はこのような課題に対して車載機本体の設置場所にかかわりなくアンテナを通信効率の良い場所に設置できると共にデータ類の変更があってもメモリ部を簡単に変更するのみで良い車載機を提供することを目的としている。
【課題を解決するための手段】
【０００９】
そこで、本発明は、車載機本体とアンテナ部とをケーブルで接続して分離させ、車載機本体にはカード挿入口を設け、かつＩＣカードも独立させ、ＩＣカードをこのカード挿入口に挿入して内部の回路部と接続させＩＣカードとの情報の送受を可能な構成とする。更に、車載機本体には表示部及びスイッチを設け、ＩＣカードからの情報を読取り、表示する構成も提供する。
【００１０】
即ち、本発明は車両に搭載され、料金所の路上アンテナと無線通信を行い料金収受に伴う情報を処理するＣＰＵを備えた回路部を有する車載機本体と、同車載機本体内の前記回路部にケーブルで接続され、前記路上アンテナとの間でマイクロ波の送受信を行う前記車載機本体から分離した平面状のアンテナ部と、前記車載機本体に設けられ、前記回路部との接続端とからなるカード挿入口と、車種を示すＩＣ情報、料金所入口情報及び履歴情報からなる車両情報を保有すると共に前記カード挿入口に挿入されて前記回路部に接続し、前記平面状のアンテナ部からの料金収受情報を記録し、必要時に同情報及び前記車両情報を送出するＣＰＵを備えたＩＣカードとを具備する料金収受用車載機を提供する。
【発明の効果】
【００１１】
本発明はこのような手段により、車載機のカード挿入口には車両の識別コード、料金残高、等が記録されたＩＣカードが挿入され、平面状のアンテナ部により路上アンテナとマイクロ波の通信が効率良く行われてこれら情報を路上アンテナに送信し、又、路上アンテナから料金収受に伴う履歴データ、料金データ、等を受け取り、車載機本体内の回路部に送る。車載機本体内の回路部は挿入されたＩＣカードから情報を読取り、あるいは記録を行う。本発明の平面状のアンテナ部はケーブルで車載機本体から分離しているので平面状のアンテナ部を通信効率が良く、利用者の視野を妨げない場所に置くことができ、更に、ＩＣカードは挿入口へ挿入する形式であるので、カードの交換が容易であり、カード交換のみで残高の「０」となったカード、あるいは他の交通システムでの利用カードと交換してそのまま利用することができる。更に、情報選択スイッチにより必要な情報に対応したスイッチを作動させてＩＣカードから同情報を読取り、表示部に表示させるので料金の残高、等の情報が容易に確認できるものである。
【発明を実施するための最良の形態】
【００１２】
以下、本発明を実施するための最良の形態を、図示した実施例に基いて具体的に説明する。
【実施例】
【００１３】
以下、本発明の実施例を図面に基づいて具体的に説明する。図１は本発明の一実施例に係る料金収受用車載機の構成を示す斜視図、図２はそのブロック図である。両図において、１はＩＣカードで、ＣＰＵを含み車種を示すＩＣ情報、料金所入口情報、履歴情報、等が記載されるものである。２は車載機本体、３は平面状のアンテナ部でケーブル６で車載機本体２に接続されている。４は本体２に設けられた押釦スイッチで情報読取時に選択して押すものである。５は車載機本体２に設けられたカード挿入口で、ＩＣカード１を挿入し本体２内のディジタル回路に接続させるものである。７はＩＣカード１に記憶されている情報を表示する表示部である。
【００１４】
図２は車載機のブロック図で、車載機本体２内にはアンテナ部３より送受信する情報を変調したり、復調したり、信号処理を行いＣＰＵに供給するための回路部であるディジタル回路８があり、押釦スイッチ４（Ａ，Ｂ，Ｃ，Ｄ）が接続され、これら押釦スイッチは、接続部９を介してカード挿入口より挿入され、接続されるＩＣカード１内の情報項目に対応して、これら情報を選択できるものである。７は表示部で押釦スイッチＡ，Ｂ，Ｃ，Ｄで選択された情報をＩＣカード１内から読出し、表示するものである。
【００１５】
このように本実施例の車載機ではＩＣカードは分離されており、使用時にカード挿入口５に挿入し、接続部９を介してディジタル回路８に接続するものであり、又、アンテナ部３もケーブル６でディジタル回路８に接続され車載機本体２とは分離して設置できる構成であり、車載機の作用は従来例で説明したように同じく機能するものである。
【００１６】
このような実施例の車載機を用いれば、アンテナ部３が分離しているので車載機本体２の設置場所とは離して路上アンテナとの通信効率が良くなり、更に、利用者の視野を妨げないような場所に設置することができる。又、ＩＣカード１を分離してカード挿入口５に挿入して使用するので残額が「０」となった場合、別のシステムの料金所を走行する場合、等にカードのみ別のものと差し替えれば使用できる利点がある。更に、車載機本体２に押釦スイッチ４が設けられているので、利用者が必要な情報を選択して押釦スイッチを押すだけでＩＣカード１内の情報を表示部７に表示することができ、残高、等が容易に確認できるものである。
【００１７】
なお、本実施例では押釦スイッチをＡ，Ｂ，Ｃ，Ｄと４個設置した例で説明したが、スイッチの数は必要な情報項目に対応させて必要個数設ければ良いものである。
【００１８】
以上、具体的に説明したように、本発明においては、車載機本体と平面状のアンテナ部とをケーブルで接続して分離させ、車載機本体にはカード挿入口を設け、かつＩＣカードも独立させ、ＩＣカードをこのカード挿入口に挿入して内部の回路部と接続させＩＣカードとの情報の送受を可能な構成とする。更に、車載機本体には表示部及びスイッチを設け、ＩＣカードからの情報を読取り、表示する構成も提供するので次のような効果を奏するものである。
（１）平面状のアンテナ部を車載機本体の設置場所とは離すことができ、路上アンテナとのマイクロ波の通信効率の良い、かつ、利用者の視野を妨げない場所に設置することができる。
（２）ＩＣカードの差し替えが可能でカードの交換のみで継続して使用ができる。
（３）必要な情報がスイッチの操作で表示されるので残額、等の確認が容易となる。
【図面の簡単な説明】
【００１９】
【図１】本発明の一実施例に係る料金収受用車載機の構成を示す斜視図である。
【図２】図１に示す実施例の構成を示すブロック図である。
【図３】従来の車載機の構成を示すブロック図である。
【符号の説明】
【００２０】
１  ＩＣカード
２  車載機本体
３  アンテナ部
４  押釦スイッチ
５  カード挿入口
７  表示部
８  ディジタル部
９  接続部
【図１】
2004288199.tif 000003
【図２】
2004288199.tif 000004
【図３】
2004288199.tif 000005
【手続補正書】
【提出日】平成16年4月2日(2004.4.2)
【手続補正１】
【補正対象書類名】明細書
【補正対象項目名】０００９
【補正方法】変更
【補正の内容】
【０００９】
そこで、本発明は、車載機本体とアンテナ部とをケーブルで接続して分離させ、車載機本体にはカード挿入口を設け、かつＩＣカードも独立させ、ＩＣカードをこのカード挿入口に挿入して内部の回路部と接続させＩＣカードとの情報の送受を可能な構成とする。更に、必要に応じて車載機本体には表示部及びスイッチを設け、ＩＣカードからの情報を読取り、表示する構成も提供する。
【手続補正２】
【補正対象書類名】明細書
【補正対象項目名】００１１
【補正方法】変更
【補正の内容】
【００１１】
本発明はこのような手段により、車載機のカード挿入口には車両の識別コード、料金残高、等が記録されたＩＣカードが挿入され、平面状のアンテナ部により路上アンテナとマイクロ波の通信が効率良く行われてこれら情報を路上アンテナに送信し、又、路上アンテナから料金収受に伴う履歴データ、料金データ、等を受け取り、車載機本体内の回路部に送る。車載機本体内の回路部は挿入されたＩＣカードから情報を読取り、あるいは記録を行う。本発明の平面状のアンテナ部はケーブルで車載機本体から分離しているので平面状のアンテナ部を通信効率が良く、利用者の視野を妨げない場所に置くことができ、更に、ＩＣカードは挿入口へ挿入する形式であるので、カードの交換が容易であり、カード交換のみで残高の「０」となったカード、あるいは他の交通システムでの利用カードと交換してそのまま利用することができる。更に、情報選択スイッチにより必要な情報に対応したスイッチを作動させてＩＣカードから同情報を読取り、表示部に表示させる構成とすることによって、料金の残高、等の情報が容易に確認できるものである。